(57)【要約】【課題】機能拡張装置の着脱に応じて重心位置を容易に調整し得る携帯端末を提供する。【解決手段】筐体１１内には、当該携帯端末１０の機能を拡張可能な機能拡張モジュールである無線リーダライタ４１およびＲＦＩＤリーダライタ４２のいずれか１つが装着可能な装着部２１が制御基板２０に設けられている。そして、凹凸状に形成される電池蓋５０の内側面５０ｂの凹部５０ｃ内には、装着部２１に装着される無線リーダライタ４１またはＲＦＩＤリーダライタ４２に応じて当該携帯端末１０の長手方向の重心の位置を重心位置Ｌに一致するよう調整するためのバランスウェイト６１，６２またはバランスウェイト６３，６４が配置される。【選択図】図３
2010122938.tif 000002
【特許請求の範囲】
【請求項１】
筐体の一部を構成する把持部に電池を収容するための電池収容部が形成されるとともに、この電池収容部を閉塞するための電池蓋が着脱可能に取り付けられる携帯端末であって、
前記筐体内には、当該携帯端末の機能を拡張可能な複数種類の機能拡張装置のうちの少なくとも１つが装着可能な装着部が設けられており、
前記電池蓋は凹凸状に形成され、この電池蓋の内側面の凹部内には、前記装着部に装着される前記機能拡張装置に応じて当該携帯端末の重心位置を調整するためのバランスウェイトが配置されることを特徴とする携帯端末。
【請求項２】
前記電池収容部には、複数種類の電池のうちの１つが収容可能であって、
前記電池蓋の前記凹部内には、前記電池収容部に収容される前記電池および前記装着部に装着される前記機能拡張装置に応じて前記バランスウェイトが配置されることを特徴とする請求項１に記載の携帯端末。
【請求項３】
前記凹部内は、複数のバランスウェイトを配置するために複数の区画に区分けして形成されることを特徴とする請求項１または２に記載の携帯端末。
【請求項４】
前記凹部は、前記電池蓋の内側面であって前記重心位置から離間するように形成されることを特徴とする請求項１〜３のいずれか一項に記載の携帯端末。
【発明の詳細な説明】
【技術分野】
【０００１】
本発明は、重心位置を調整可能な携帯端末に関するものである。
【背景技術】
【０００２】
従来より、重心位置を調整可能な携帯端末として、下記特許文献１に示す携帯型情報端末機が知られている。この携帯型情報端末機では、本体ケースの左右の両側面部に側面緩衝部材がそれぞれ設けられており、本体ケースの後端部の左右の角部にコーナー緩衝部材がそれぞれ設けられている。そして、これら４個の緩衝部材のうち少なくともひとつをバランスウェイトとしての機能を兼用させることで、全体の重量バランスを調整している。
【０００３】
また、下記特許文献２に示す小型電子機器では、オプション機器（機能拡張装置）が機器本体に対して当該機器本体の重心近傍の位置より下方となる裏面側に装着される。このオプション機器は、機器本体に装着したときに機器全体の重心近傍に対応する外形が掌握に便利なように凹ませた形に構成されている。これにより、オプション機器の装着状態にて当該オプション機器の凹部に手のひらを密接した状態で機器本体を把持したまま操作するにあたり、その操作性を向上させている。
【特許文献１】特開２００６−１１９９７９号公報
【特許文献２】特開平０６−３４８６５３号公報
【発明の開示】
【発明が解決しようとする課題】
【０００４】
しかしながら、緩衝部材を有しない携帯端末では、端末全体の重心位置を調整することができないという問題がある。また、緩衝部材を有する携帯端末でも機能を拡張するための機能拡張装置が着脱可能な携帯端末においては、緩衝部材のみの調整では、装着される機能拡張装置に応じて十分に端末全体の重心位置を調整することができないという問題がある。
【０００５】
また、機能拡張装置に対して、装着後の端末全体の重心位置を所定の位置に調整するように凹部等を形成し、かつ、その凹部等を端末全体を把持するための位置に設ける場合には、機能拡張装置に対する設計の自由度が制約されてしまうという問題がある。特に、携帯端末の筐体内に機能拡張装置を装着（収容）する場合には、上述のように形成される凹部等を把持位置に配置することが困難である。
【０００６】
本発明は、上述した課題を解決するためになされたものであり、その目的とするところは、機能拡張装置の着脱に応じて重心位置を容易に調整し得る携帯端末を提供することにある。
【課題を解決するための手段】
【０００７】
上記目的を達成するため、特許請求の範囲に記載の請求項１の携帯端末では、筐体（１１）の一部を構成する把持部（１４）に電池（３１，３２）を収容するための電池収容部（３０）が形成されるとともに、この電池収容部を閉塞するための電池蓋（５０）が着脱可能に取り付けられる携帯端末（１０）であって、前記筐体内には、当該携帯端末の機能を拡張可能な複数種類の機能拡張装置（４１，４２）のうちの少なくとも１つが装着可能な装着部（２１）が設けられており、前記電池蓋は凹凸状に形成され、この電池蓋の内側面（５０ｂ）の凹部（５０ｃ）内には、前記装着部に装着される前記機能拡張装置に応じて当該携帯端末の重心位置を調整するためのバランスウェイト（６１〜６６）が配置されることを技術的特徴とする。
【発明の効果】
【０００８】
請求項１の発明では、筐体内には、当該携帯端末の機能を拡張可能な複数種類の機能拡張装置のうちの少なくとも１つが装着可能な装着部が設けられている。そして、凹凸状に形成される電池蓋の内側面の凹部内には、装着部に装着される機能拡張装置に応じて当該携帯端末の重心位置を調整するためのバランスウェイトが配置される。
【０００９】
これにより、拡張機能等が異なる複数種類の機能拡張装置のいずれかが装着される場合でも、装着される機能拡張装置に応じて重心位置を調整するためのバランスウェイトを電池蓋の凹部内に配置することで、当該携帯端末の重心位置を所望の位置に調整することができる。特に、電池蓋が凹凸状に形成されるため把持部として握り易くなっており、この電池蓋の内側面の凹部内にバランスウェイトが配置されるので、スペースを有効利用することができる。
したがって、機能拡張装置の着脱に応じて携帯端末の重心位置を容易に調整することができる。
【００１０】
請求項２の発明では、電池収容部には、複数種類の電池のうちの１つが収容可能であって、電池蓋の凹部内には、電池収容部に収容される電池および装着部に装着される機能拡張装置に応じてバランスウェイトが配置される。
【００１１】
これにより、特殊用途や充電容量等が異なる複数種類の電池のいずれかが電池収容部に収容される場合でも、電池の種類および機能拡張装置に応じてバランスウェイトを電池蓋の凹部内に配置することで、当該携帯端末の重心位置を所望の位置に調整することができる。
【００１２】
請求項３の発明では、上記凹部内は、複数のバランスウェイトを配置するために複数の区画に区分けして形成される。このため、所定のバランスウェイトを、装着される機能拡張装置等に応じて凹部内に形成される所定の区画に配置することで、当該携帯端末の重心位置を所望の位置に調整することができる。特に、装着される機能拡張装置等に応じて、所定のバランスウェイトを予め決められた区画に配置するようにバランスウェイトと区画形状とが設定されている場合には、重心位置を調整するように配置作業を実施する必要がないので、バランスウェイトの配置作業を容易にすることができる。
【００１３】
請求項４の発明では、上記凹部は、電池蓋の内側面であって重心位置から離間するように形成される。これにより、バランスウェイトは重心位置から離間するように凹部内に配置されるので、軽量のバランスウェイトであっても重心位置の調整が可能であり、バランスウェイトを配置することによる端末重量の増大を抑制することができる。
【発明を実施するための最良の形態】
【００１４】
以下、本発明の携帯端末をバーコードリーダに適用した一実施形態について図を参照して説明する。まず、本実施形態に係る携帯端末１０の構成概要を図１および図２に基づいて説明する。図１は、本実施形態に係る携帯端末１０の構成概要を示す図であり、図１（Ａ）は正面図、図１（Ｂ）は一部断面で示す側面図である。図２（Ａ）は、図１の電池蓋５０を内面側から見た平面図であり、図２（Ｂ）は、図２（Ａ）の２Ｂ−２Ｂ断面を示す断面図である。
【００１５】
図１（Ａ），（Ｂ）に示すように、携帯端末１０は、表側ケース１２および裏側ケース１３からなる筐体１１内に制御基板２０等の各種電気部品と、各種電気部品の電源として機能する電池とが収容されるように構成されている。
【００１６】
また、筐体１１は、操作者に把持される把持部１４と、液晶表示器１５ａが取り付けられる液晶部１５と、読取口１６ａが設けられる読取部１６とを備えている。
【００１７】
筐体１１のほぼ中央両側面には、バーコード等の読取対象に対して照射光を照射する際に押圧されるトリガースイッチ１７がそれぞれ設けられている。また、把持部１４のうち表側ケース１２上には、読取対象の情報や当該携帯端末１０の操作に関する情報を入力可能なファンクションキー１８や数字情報を入力可能なテンキー１９等、情報を入力する際に操作される複数の情報入力キーが設けられている。
【００１８】
制御基板２０には、公知のコードリーダ（バーコードリーダ、二次元コードリーダ等）の読取機能とほぼ同様の基本機能を発揮するための基本モジュール（図示略）が制御回路等とともに実装されている。また、筐体１１等の部品標準化を図るために、制御基板２０には、上記基本モジュールによる基本機能を拡張するため複数の機能拡張モジュールのうちの少なくとも１つが装着可能な装着部２１が形成されている。この装着部２１に所定の機能拡張モジュールを装着することで、その拡張機能が発揮可能な状態となる。なお、図１（Ｂ）においては、機能拡張モジュールが装着されていない状態を図示している。
【００１９】
ここで、機能拡張モジュールとしては、例えば、所定の無線タグに対して無線通信可能な機能を発揮するためのモジュールである無線リーダライタ４１や、ＲＦＩＤタグに対して無線通信可能な機能を発揮するためのモジュールであるＲＦＩＤリーダライタ４２等が含まれる。なお、本実施形態においては、無線リーダライタ４１は、ＲＦＩＤリーダライタ４２よりも軽量かつ小型である。
【００２０】
裏側ケース１３のうち把持部１４を構成する部位には、電池として標準電池３１と特殊用途時に採用される特殊電池３２とのいずれか一方を収容可能な電池収容部３０が形成されている。電池収容部３０は、一方が開口する箱状形態をなしており、この開口部は、裏側ケース１３に対して着脱可能に形成された電池蓋５０によって閉塞され得る構成となっている。なお、標準電池３１および特殊電池３２は、例えば、リチウムイオン電池、ニッケル水素電池、ニッケルカドミウム電池等の充放電可能な二次電池によって構成されている。また、本実施形態においては、特殊電池３２は、標準電池３１よりも軽量かつ小型である。また、図１（Ｂ）においては、電池収容部３０に標準電池３１が収容された状態を図示している。
【００２１】
図２（Ａ），（Ｂ）に示すように、電池蓋５０は、表面（以下、外側面５０ａともいう）および裏面（以下、内側面５０ｂともいう）が凹凸状に形成されており、外側面５０ａにて把持部１４の一部が構成される。このように電池蓋５０の外側面５０ａが凹凸状に形成されるため、この凹凸部に指を掛けることにより、把持部１４の握り易さが向上する。
【００２２】
電池蓋５０は、その内側面５０ｂの凹部５０ｃ内が略格子状に設けられるリブ等により６つの区画に区分けされるように形成されている。これら各区画は、中央部にて大きく形成される第１区画５１および第２区画５２と、一側端部にて第１区画５１および第２区画５２により小さく形成される第３区画５３および第４区画５４と、他側端部にて第１区画５１および第２区画５２により小さく形成される第５区画５５および第６区画５６と、から構成されている。なお、凹部５０ｃおよび各区画（特に、区画５１〜５４）は、後述するバランスウェイトによる重心位置調整の効果を高めるため、電池蓋５０が電池収容部３０に装着された状態において、後述する重心位置Ｌから離間するように内側面５０ｂに対して形成されている。
【００２３】
次に、標準電池３１が電池収容部３０に収容される場合において、機能拡張モジュールとバランスウェイトとの関係について、図を参照して説明する。図３（Ａ）は、ＲＦＩＤリーダライタ４２が装着部２１に装着される状態を一部断面で示す側面図であり、図３（Ｂ）は、ＲＦＩＤリーダライタ４２の装着に応じて電池蓋５０の凹部５０ｃ内に配置されるバランスウェイト６１，６２を示す平面図である。図４（Ａ）は、無線リーダライタ４１が装着部２１に装着される状態を一部断面で示す側面図であり、図４（Ｂ）は、無線リーダライタ４１の装着に応じて電池蓋５０の凹部５０ｃ内に配置されるバランスウェイト６３，６４を示す平面図である。なお、図３（Ｂ）および図４（Ｂ）と後述する図５（Ｂ）の各平面図では、説明の便宜上、斜線部分にて対応するバランスウェイトを図示する。
【００２４】
上述のように構成される携帯端末１０では、図１（Ｂ）に示すように、機能拡張モジュールが装着部２１に装着されない場合には、当該携帯端末１０における長手方向の重心位置Ｌが筐体１１の長手方向中央近傍に位置するような配置となっている。これにより、使用者が把持部１４を把持して繰り返し読取作業を行なう場合でも、把持部１４を把持することに起因する疲労が軽減される。
【００２５】
また、製造工程において、図３（Ａ）に示すように、ＲＦＩＤリーダライタ４２が装着部２１に装着される場合には、電池蓋５０の凹部５０ｃ内にバランスウェイトが配置される。具体的には、図３（Ｂ）に示すように、凹部５０ｃ内の第１区画５１および第２区画５２に、バランスウェイト６１およびバランスウェイト６２が接着等により固定されて配置される。両バランスウェイト６１，６２は、第１区画５１および第２区画５２に配置されることで、ＲＦＩＤリーダライタ４２装着後の携帯端末１０における長手方向の重心の位置が重心位置Ｌに一致するように形成されている。
【００２６】
また、製造工程において、図４（Ａ）に示すように、無線リーダライタ４１が装着部２１に装着される場合にも、電池蓋５０の凹部５０ｃ内にバランスウェイトが配置される。具体的には、図４（Ｂ）に示すように、凹部５０ｃ内の第３区画５３および第４区画５４に、バランスウェイト６３およびバランスウェイト６４が接着等により固定されて配置される。両バランスウェイト６３，６４は、第３区画５３および第４区画５４に配置されることで、無線リーダライタ４１装着後の携帯端末１０における長手方向の重心の位置が重心位置Ｌに一致するように形成されている。
【００２７】
次に、機能拡張モジュールが装着されない場合において、電池とバランスウェイトとの関係について、図を参照して説明する。図５（Ａ）は、特殊電池３２が電池収容部３０に収容される状態を一部断面で示す側面図であり、図５（Ｂ）は、特殊電池３２の収容に応じて電池蓋５０の凹部５０ｃ内に配置されるバランスウェイト６５，６６を示す平面図である。
【００２８】
標準電池３１が電池収容部３０に収容される場合には、上述したようにバランスウェイトを電池蓋５０の凹部５０ｃ内に配置することなく携帯端末１０における長手方向の重心の位置が重心位置Ｌに一致する。
【００２９】
一方、製造工程において、図５（Ａ）に示すように、特殊電池３２が電池収容部３０に収容される場合には、電池蓋５０の凹部５０ｃ内にバランスウェイトが配置される。具体的には、図５（Ｂ）に示すように、凹部５０ｃ内の第５区画５５および第６区画５６に、バランスウェイト６５およびバランスウェイト６６が接着等により固定されて配置される。両バランスウェイト６５，６６は、第５区画５５および第６区画５６に配置されることで、特殊電池３２収容後の携帯端末１０における長手方向の重心の位置が重心位置Ｌに一致するように形成されている。
【００３０】
このように、装着される機能拡張モジュールや収容される電池に応じて電池蓋５０の凹部５０ｃ内に対応するバランスウェイトを配置することにより、携帯端末１０における長手方向の重心の位置が常に重心位置Ｌに一致するので、把持部１４を把持した読取作業に起因する疲労を軽減することができる。
【００３１】
以上説明したように、本実施形態に係る携帯端末１０では、筐体１１内には、当該携帯端末１０の機能を拡張可能な機能拡張モジュールである無線リーダライタ４１およびＲＦＩＤリーダライタ４２のいずれか１つが装着可能な装着部２１が制御基板２０に設けられている。そして、凹凸状に形成される電池蓋５０の内側面５０ｂの凹部５０ｃ内には、装着部２１に装着される無線リーダライタ４１またはＲＦＩＤリーダライタ４２に応じて当該携帯端末１０の長手方向の重心の位置を重心位置Ｌに一致するよう調整するためのバランスウェイト６１，６２またはバランスウェイト６３，６４が配置される。
【００３２】
これにより、拡張機能等が異なる複数種類の機能拡張モジュールのいずれかが装着される場合でも、装着される機能拡張モジュールに応じて重心位置を調整するためのバランスウェイト６１〜６４を電池蓋５０の凹部５０ｃ内に配置することで、当該携帯端末１０の重心位置を所望の位置（重心位置Ｌ）に調整することができる。特に、電池蓋５０が凹凸状に形成されるため把持部１４として握り易くなっており、この電池蓋５０の内側面５０ｂの凹部５０ｃ内にバランスウェイト６１〜６４が配置されるので、スペースを有効利用することができる。
したがって、機能拡張モジュールの着脱に応じて携帯端末１０の重心位置を容易に調整することができる。
【００３３】
また、本実施形態に係る携帯端末１０では、電池収容部３０には、標準電池３１および特殊電池３２のうちの１つが収容可能であって、電池蓋５０の凹部５０ｃ内には、電池収容部３０に収容される電池に応じてバランスウェイト６５，６６が配置される。
【００３４】
これにより、特殊用途や充電容量等が異なる複数種類の電池のいずれかが電池収容部３０に収容される場合でも、電池の種類に応じてバランスウェイト６５，６６を電池蓋５０の凹部５０ｃ内に配置することで、当該携帯端末１０の重心位置を所望の位置（重心位置Ｌ）に調整することができる。
【００３５】
さらに、本実施形態に係る携帯端末１０では、上記凹部５０ｃ内は、複数のバランスウェイト６１〜６６を配置するために複数の区画５１〜５６に区分けして形成されている。このため、所定のバランスウェイトを、装着される機能拡張モジュールや収容される電池等に応じて凹部５０ｃ内に形成される所定の区画５１〜５６のいずれかに配置することで、当該携帯端末１０の重心位置を所望の位置（重心位置Ｌ）に調整することができる。
【００３６】
特に、装着される機能拡張モジュール等に応じて、所定のバランスウェイトを予め決められた区画に配置するようにバランスウェイト６１〜６６と対応する区画５１〜５６の区画形状とが設定されているため、重心位置を調整するように配置作業を実施する必要がないので、バランスウェイト６１〜６６の配置作業を容易にすることができる。
【００３７】
さらに、本実施形態に係る携帯端末１０では、上記凹部５０ｃおよび各区画（特に区画５１〜５４）は、電池蓋５０の内側面５０ｂであって重心位置Ｌから離間するように形成されている。これにより、バランスウェイトは重心位置Ｌから離間するように凹部５０ｃ内の各区画５１〜５６に配置されるので、軽量のバランスウェイトであっても重心位置の調整が可能であり、バランスウェイトを配置することによる端末重量の増大を抑制することができる。
【００３８】
なお、本発明は上記実施形態に限定されるものではなく、以下のように具体化してもよく、その場合でも、上記実施形態と同等の作用・効果が得られる。
（１）各バランスウェイト６１〜６６は、装着部２１に装着される無線リーダライタ４１またはＲＦＩＤリーダライタ４２と、電池収容部３０に収容される標準電池３１または特殊電池３２との双方に応じて電池蓋５０の凹部５０ｃ内の所定の区画に配置されることで、携帯端末１０における長手方向の重心の位置を重心位置Ｌに一致させるように形成されてもよい。
【００３９】
（２）上述した機能拡張モジュールは、無線リーダライタ４１またはＲＦＩＤリーダライタ４２に限らず、例えば、ＩＣカード用リーダライタ等、上記基本モジュールによる基本機能を拡張するためのモジュールであればよいし、所定の機能を制限するためのモジュールであってもよい。この場合、対応するバランスウェイトは、上記各機能拡張モジュールに応じて電池蓋５０の凹部５０ｃ内の所定の区画に配置されることで、携帯端末１０における長手方向の重心の位置を重心位置Ｌに一致させるように形成される。
【００４０】
（３）電池蓋５０の凹部５０ｃは、複数の区画５１〜５６に区分けされなくてもよい。この場合、各バランスウェイト６１〜６６を配置するための基準位置がなくなるため配置作業が困難になるが、バランスウェイト６１〜６６の配置を微調整することで、携帯端末１０の重心位置を微調整することができる。
【００４１】
（４）各バランスウェイト６１〜６６は、製造工程時に対応する区画５１〜５６のいずれかに配置されることに限らず、例えば、携帯端末１０の改造時や補修時に追加または変更される機能拡張モジュールや電池に応じて、対応する区画５１〜５６のいずれかに配置されてもよい。
【００４２】
（５）電池蓋５０は、凹凸状に形成されることなく平板状に形成された場合には、把持部１４の把持し易さは低下するが、電池蓋の形成が容易になる。このような平板状の電池蓋に各バランスウェイト６１〜６６を機能拡張モジュール等に応じて配置しても、携帯端末１０における長手方向の重心の位置を重心位置Ｌに一致させることができる。
【図面の簡単な説明】
【００４３】
【図１】本実施形態に係る携帯端末の構成概要を示す図であり、図１（Ａ）は正面図、図１（Ｂ）は一部断面で示す側面図である。
【図２】図２（Ａ）は、図１の電池蓋を内面側から見た平面図であり、図２（Ｂ）は、図２（Ａ）の２Ｂ−２Ｂ断面を示す断面図である。
【図３】図３（Ａ）は、ＲＦＩＤリーダライタが装着部に装着される状態を一部断面で示す側面図であり、図３（Ｂ）は、ＲＦＩＤリーダライタの装着に応じて電池蓋の凹部内に配置（Ｂ）されるバランスウェイトを示す平面図である。
【図４】図４（Ａ）は、無線リーダライタが装着部に装着される状態を一部断面で示す側面図であり、図４（Ｂ）は、無線リーダライタの装着に応じて電池蓋の凹部内に配置されるバランスウェイトを示す平面図である。
【図５】図５（Ａ）は、特殊電池が電池収容部に収容される状態を一部断面で示す側面図であり、図５（Ｂ）は、特殊電池の収容に応じて電池蓋の凹部内に配置されるバランスウェイトを示す平面図である。
【符号の説明】
【００４４】
１０…携帯端末
１１…筐体
１４…把持部
２０…制御基板
２１…装着部
３０…電池収容部
３１…標準電池（電池）
３２…特殊電池（電池）
４１…無線リーダライタ（機能拡張装置）
４２…ＲＦＩＤリーダライタ（機能拡張装置）
５０…電池蓋
５０ｂ…内側面
５０ｃ…凹部
５１〜５６…区画
６１〜６６…バランスウェイト
Ｌ…重心位置
【図１】
2010122938.tif 000003
【図２】
2010122938.tif 000004
【図３】
2010122938.tif 000005
【図４】
2010122938.tif 000006
【図５】
2010122938.tif 000007